(57)【特許請求の範囲】
【請求項１】
インバータを収納するケースの開口部を当該開口部の端部との間にパッキンを介在して密閉状態に蓋をする形状であり、この形状として前記パッキンを前記開口部の端部に押圧するためのケースへのネジ止め用のネジ穴が形成された平面状のネジ穴形成面を有するネジ穴形成部と、このネジ穴形成部を含むカバー全体の水平状の面の周囲に直立する側壁とを備えるインバータ収納ケース用カバーにおいて、
前記ネジ穴形成部は、前記ネジ穴形成面のケース当接側である裏面を上方に向けた際に当該裏面に対して、所定の高さだけ下がった水平な面である段差面を備えると共に、少なくとも当該段差面を貫通した水抜き開口部を備えることを特徴とするインバータ収納ケース用カバー。
【請求項２】
前記水抜き開口部は、前記段差面を貫通した貫通穴であることを特徴とする請求項１に記載のインバータ収納ケース用カバー。
【請求項３】
前記水抜き開口部は、前記段差面の側壁の一部を除去したスリット部であることを特徴とする請求項１に記載のインバータ収納ケース用カバー。
【請求項４】
インバータを収納するケースの開口部を当該開口部の端部との間にパッキンを介在して密閉状態に蓋をする形状であり、この形状として前記パッキンを前記開口部の端部に押圧するためのケースへのネジ止め用のネジ穴が形成された平面状のネジ穴形成面を有するネジ穴形成部とを備えるインバータ収納ケース用カバーにおいて、
前記ネジ穴形成部を含むカバー全体の水平状の面が面端で終了する形状を有し、
前記ネジ穴形成部は、前記ネジ穴形成面のケース当接側である裏面を上方に向けた際に当該裏面に対して、所定の高さだけ下がった水平な面である段差面を備えると共に、少なくとも当該段差面を貫通した水抜き開口部を備えることを特徴とするインバータ収納ケース用カバー。
【発明の詳細な説明】
【技術分野】
【０００１】
本発明は、電力変換を行うインバータを収納するケースの開口部を密閉状態に蓋をするインバータ収納ケース用カバーに関する。
【背景技術】
【０００２】
従来、図１に示すように、図示せぬインバータを収納するケース１０には、収納されたインバータに外部から３相ケーブルＵ，Ｖ，Ｗと、直流電源のプラス側ケーブルＰ及びマイナス側ケーブルＮを接続するための高圧端子台１１が内部に配設されている。高圧端子台１１には、各ケーブルＵ，Ｖ，Ｗ，Ｐ，Ｎをボルトで固定するための複数の貫通口１３が形成されており、各貫通口１３がケース１０に開けられた開口部１２を通して露出するようになっている。また、開口部１２の周囲には、ネジ穴１６ａを有するカバー組付部分１６がある。
【０００３】
この開口部１２から図１のＡ１−Ａ２断面図である図２に示すように、例えばＷ相ケーブルを高圧端子台１１に導き、ボルト１５ａ及びナット１５ｂでインバータに接続されたＷ相のバスバＷＢと接続して高圧端子台１１に固定する。このように全てのケーブルＵ，Ｖ，Ｗ，Ｐ，Ｎを固定した後に、カバー組付部分１６に図３に示すインバータ収納ケース用カバー１７を合わせてねじ止めすることにより開口部１２に蓋をしてケース１０を気密状態とする。
【０００４】
インバータ収納ケース用カバー１７は、図３に裏側（ケース１０蓋時の内部側）から見た平面図に示すように、全体が概略楕円形状でこの長手方向の平行な２辺に図面に向かって上下対称に２つずつ計４つのネジ穴形成部１７ａが水平に突き出した形状を成す。更に、この全体形状の周回辺に裏面の水平面に対して垂直に突き立った側壁１７ｂが形成されている。各ネジ穴形成部１７ａには、貫通したネジ穴１７ｃが形成されている。このネジ穴形成部１７ａの内周側には、ネジ穴１７ｃとやや離間して裏面全体を周回するパッキン溝１７ｄが設けられている。
【０００５】
このインバータ収納ケース用カバー１７をケース１０の開口部１２に密着して固定した際に、図３に示すＣ１−Ｃ２線で切断した際の形状を図４に示す。但し、この図４は図２に示したインバータ収納ケース用カバー１７で蓋したケース１０と上下が１８０°反転した状態を示す。
【０００６】
図４に矢印Ｃ３で示すようにＣ１−Ｃ２断面部分は、ネジ穴形成部１７ａのネジ穴１７ｃにネジ１８が螺合されてケース１０に固定されている。これによってケース１０の開口部１２の直立した側壁１０ａの端面にパッキン溝１７ｄに嵌合されたパッキン１９が押圧状態に密着している。但し、パッキン１９はゴム等の弾性部材である。これによってインバータ収納ケース用カバー１７がケース１０に密着状態に固定されている。この種の従来技術として特許文献１に記載のものがある。
【先行技術文献】
【特許文献】
【０００７】
【特許文献１】特開２００９−２５７４５９号公報
【発明の概要】
【発明が解決しようとする課題】
【０００８】
しかし、上記のインバータ収納ケース用カバー１７においては、通常ケース１０を車両に搭載する場合、図２に示したようにインバータ収納ケース用カバー１７が上に配置される状態で搭載される。しかし、車両によってはケース１０が上下逆さまに搭載される場合がある。この場合、インバータ収納ケース用カバー１７は、図４に示したように逆さまの状態となる。このため、図４に示すようにネジ穴形成部１７ａが上方が開口した受け皿状態となって、この部分に符号２０で示すように水が溜まってしまうことがある。このようにネジ穴形成部１７ａに水２０が溜まると、この水２０はパッキン溝１７ｄと側壁１７ｂとの間の凹部にも符号２０で示すように溜まる。このように水２０が溜まった場合、パッキン１９が何らかの原因で損傷したり変形したりしてケース１０との間に隙間が生じた場合、ケース１０内に水２０が浸入してインバータに不具合が生じるという問題がある。なお、水２０以外の液体が溜まった場合でも同様の問題となる。
【０００９】
本発明は、このような事情に鑑みてなされたものであり、車両等にインバータ収納ケースが逆さまに搭載された際にケース下方に配置状態となったケース開口のカバー部分に水等の液体が貯留されることを防止することができるインバータ収納ケース用カバーを提供することを目的とする。
【課題を解決するための手段】
【００１０】
上記目的を達成するためになされた請求項１に記載の発明は、インバータを収納するケースの開口部を当該開口部の端部との間にパッキンを介在して密閉状態に蓋をする形状であり、この形状として前記パッキンを前記開口部の端部に押圧するためのケースへのネジ止め用のネジ穴が形成された平面状のネジ穴形成面を有するネジ穴形成部と、このネジ穴形成部を含むカバー全体の水平状の面の周囲に直立する側壁とを備えるインバータ収納ケース用カバーにおいて、前記ネジ穴形成部は、前記ネジ穴形成面のケース当接側である裏面を上方に向けた際に当該裏面に対して、所定の高さだけ下がった水平な面である段差面を備えると共に、少なくとも当該段差面を貫通した水抜き開口部を備えることを特徴とする。
【００１１】
この構成によれば、インバータ収納ケース用カバー（カバー）で開口部が密着状態に蓋されたケースが車両などの被搭載装置に逆さまに搭載されることによってカバーの裏面が上向きとなり、カバーのネジ穴形成部が受け皿状態となってそこから液体がネジ穴形成面に入った場合でも、この水がネジ穴形成面から１段下がった段差面の水抜き穴に導かれ、ケース外部へ流れ落ちる。従って、従来のようにネジ穴形成部に水が溜まることを防止することが出来る。これによって、何らかの原因でパッキンが損傷又は変形して当該パッキンとケースとの間に隙間ができた場合でも、従来のように貯留水がないので、その隙間から水がケース内に浸入することが無くなり、このため、水の浸入によりインバータに不具合が生じるということを防止することができる。
【００１２】
請求項２に記載の発明は、前記水抜き開口部は、前記段差面を貫通した貫通穴であることを特徴とする。
【００１３】
この構成によれば、水抜き開口部は段差面を貫通した貫通穴なので、当該穴の形成を容易に行うことができる。従って製造コストの低減を図ることができる。
【００１４】
請求項３に記載の発明は、前記水抜き開口部は、前記段差面の側壁の一部を除去したスリット部であることを特徴とする。
【００１５】
この構成によれば、水抜き開口部は段差面の側壁の一部を除去したスリット部なので、その形成を容易に行うことができる。従って製造コストの低減を図ることができる。
【００１６】
請求項４に記載の発明は、インバータを収納するケースの開口部を当該開口部の端部との間にパッキンを介在して密閉状態に蓋をする形状であり、この形状として前記パッキンを前記開口部の端部に押圧するためのケースへのネジ止め用のネジ穴が形成された平面状のネジ穴形成面を有するネジ穴形成部とを備えるインバータ収納ケース用カバーにおいて、前記ネジ穴形成部を含むカバー全体の水平状の面が面端で終了する形状を有し、前記ネジ穴形成部は、前記ネジ穴形成面のケース当接側である裏面を上方に向けた際に当該裏面に対して、所定の高さだけ下がった水平な面である段差面を備えると共に、少なくとも当該段差面を貫通した水抜き開口部を備えることを特徴とする。
【００１７】
この構成によれば、インバータ収納ケース用カバー（カバー）で開口部が密着状態に蓋されたケースが車両などの被搭載装置に逆さまに搭載されることによってカバーの裏面が上向きとなり、液体がカバーのネジ穴形成面に入った場合でも、この水がネジ穴形成面から１段下がった段差面の水抜き穴に導かれ、ケース外部へ流れ落ちる。また、カバーをケースに密着させた際にネジ穴形成面の部分に側壁が無く、ネジ穴形成部を含むカバー全体の水平状の面が面端で終了する形状を有しているので、ケースとの間に受け皿ができず水が溜まらない。従って、従来のようにネジ穴形成部に水が溜まることを防止することが出来る。これによって、何らかの原因でパッキンが損傷又は変形して当該パッキンとケースとの間に隙間ができた場合でも、従来のように貯留水がないので、その隙間から水がケース内に浸入することが無くなり、このため、水の浸入によりインバータに不具合が生じるということを防止することができる。
【図面の簡単な説明】
【００１８】
【図１】インバータ収納ケースの外観を示す平面図である。
【図２】図１に示すＡ１−Ａ２断面図である
【図３】従来のインバータ収納ケース用カバーの裏側から見た平面図である。
【図４】図３に示すＣ１−Ｃ２線で切断した際の断面図である。
【図５】本発明の実施形態に係るインバータ収納ケース用カバーの構成を示す斜視図である。
【図６】（ａ）は本実施形態のインバータ収納ケース用カバーの裏面側の平面図、（ｂ）は正面図、（ｃ）は右側面図、（ｄ）は（ａ）に示すＤ１−Ｄ２断面図である。
【図７】図６に示すＤ１−Ｄ２線で切断した際の断面図である。
【図８】（ａ）は本発明の実施形態の応用例１に係るインバータ収納ケース用カバーの構成を示す平面図、（ｂ）は正面図である。
【図９】本発明の実施形態の応用例２に係るインバータ収納ケース用カバーの構成を示す平面図である。
【図１０】図９に示すＦ１−Ｆ２線で切断した際の断面図である。
【発明を実施するための形態】
【００１９】
以下、本発明の実施形態を、図面を参照して説明する。但し、本明細書中の全図において相互に対応する部分には同一符号を付し、重複部分においては後述での説明を適時省略する。
【００２０】
図５は、本発明の実施形態に係るインバータ収納ケース用カバーの構成を示す斜視図、図６（ａ）はインバータ収納ケース用カバーの裏面側の平面図、（ｂ）は正面図、（ｃ）は右側面図、（ｄ）は（ａ）に示すＤ１−Ｄ２断面図である。
【００２１】
図５及び図６に示すインバータ収納ケース用カバー３０（以降、カバー３０とも略す）は、図１及び図２に示したインバータ収納用のケース１０の開口部１２に密着状態に蓋をしてケース１０の内部を気密状態とするものである。カバー３０は、全体の平面形状が概略楕円形状でこの長手方向の平行な２辺に図６（ａ）を参照するように上下対向位置に第１ネジ穴形成部３０ａ及び第２ネジ穴形成部３０ｂが形成され、同じ辺に横並びに第１ネジ穴形成部３０ａ及び第２ネジ穴形成部３０ｂが形成されている。
【００２２】
更に、カバー３０は、この全体形状の周回辺に裏側の水平面に対して垂直に突き立った側壁３０ｂが形成されている。第１及び第２ネジ穴形成部３０ａ，３０ｂには、貫通したネジ穴３０ｃが形成されている。これらネジ穴形成部３０ａ，３０ｂの内周側には、ネジ穴３０ｃとやや離間して裏面全体を周回するパッキン溝３０ｄが設けられている。
【００２３】
本実施形態の特徴は、第１ネジ穴形成部３０ａのネジ穴３０ｃが形成された水平な面であるネジ穴形成面３０ｅに対して、所定の高さｈ１だけ１段下がった水平な面である段差面３０ｆを形成し、更に段差面３０ｆに貫通した水抜き穴３０ｇを形成した点にある。なお、段差面３０ｆの水抜き穴３０ｇの近傍に形成されている他の穴３０ｈは、カバー３０をケース１０に取り付ける際の位置決め穴３０ｈであり、この位置決め穴３０ｈにケース１０の開口部１２に設けられた図示せぬ垂直棒状の凸部が嵌合されて位置決めが行われる。
【００２４】
このような構成のカバー３０をケース１０の開口部１２に密着固定して、このケース１０を上下逆さまに（上下１８０度反転して）車両に搭載した場合に、図６に示すＤ１−Ｄ２線で切断した際の形状は、図７に示す状態となる。即ち、ネジ穴形成部３０ａのネジ穴３０ｃにネジ１８が螺合されてケース１０に固定されることによってケース１０の開口部１２の表面にパッキン溝３０ｄに嵌合されたパッキン１９が押圧状態に密着する。
【００２５】
この際、ネジ穴形成部３０ａの側壁３０ｂとケース１０との間に矢印Ｙ１で示すように隙間が生じる。この隙間から水が入った場合、この水はネジ穴形成面３０ｅから１段下がった段差面３０ｆに流れ、更に矢印Ｙ２で示すように水抜き穴３０ｇからケース１０外部へ流れ落ちる。
【００２６】
このように本実施形態のインバータ収納ケース用カバー３０によれば、当該カバー３０で開口部１２が密着状態に蓋されたケース１０が逆さまに車両に搭載されることによってカバー３０の裏面が上向きとなり、カバー３０のネジ穴形成部３０ａが受け皿状態となってそこから水（又は何らかの液体）がネジ穴形成面３０ｅに入った場合でも、この水がネジ穴形成面３０ｅから１段下がった段差面３０ｆの水抜き穴３０ｇに導かれ、ケース１０外部へ流れ落ちるようにすることができる。従って、従来のようにネジ穴形成部３０ａに水が溜まることを防止することが出来る。これによって、何らかの原因でパッキン１９が損傷又は変形して当該パッキン１９とケース１０との間に隙間ができた場合でも、従来のように貯留水がないので、その隙間から水がケース内に浸入することが無くなり、このため、水の浸入によりインバータに不具合が生じるということを防止することができる。
【００２７】
また、水抜き穴３０ｇは、貫通穴なので、その形成を容易に行うことができ、これによって製造コストの低減を図ることができる。
【００２８】
また、本実施形態の応用例１として、図８（ａ）及び（ｂ）に示すように、第１ネジ穴形成部３０ａの段差面３０ｆに水抜き穴３０ｇを設けず、代わりに、その段差面３０ｆの側壁３０ｂの一部を符号３０ｉで示すように除去したスリット部を形成しても良い。このスリット部３０ｉは、それ以外にも、パッキン溝３０ｄが損なわれない部分の側壁３０ｂであれば図示するように何処に形成しても良い。このように側壁３０ｂにスリット部３０ｉを形成しても、ネジ穴形成部３０ａの側壁３０ｂとケース１０との間の隙間から入った水を、スリット部３０ｉから外部へ導くことが出来る。従って、上記実施形態と同様の作用効果を得ることが出来る。また、スリット部３０ｉは、少なくとも段差面３０ｆの側壁３０ｂの一部を除去して形成するので、その形成を容易に行うことができる。従って製造コストの低減を図ることができる。
【００２９】
また、本実施形態で形成した水抜き穴３０ｇと、その応用例で形成したスリット部３０ｉとの双方を含む上位概念として、カバー３０の底部又は側壁３０ｂを貫通する水抜き開口部と称す。
【００３０】
更に、本実施形態の応用例２として、図９に示すインバータ収納ケース用カバー３０−２としても良い。このカバー３０−２は、第２ネジ穴形成部３０ｂであるネジ穴形成部３０ｊのみを４つ備え、全体の楕円形状の周囲から側壁３０ｂを無くすことによって、ネジ穴形成部３０ｊを含むカバー３０−２全体の水平状の面が面端で終了する形状となっている。その側壁３０ｂを無くした周囲のネジ穴形成部３０ｊ以外の部分は段差面３０ｆとなっている。このような構成のカバー３０−２をケース１０に密着させると、図１０に示すようにネジ穴形成面３０ｅの部分に側壁３０ｂが無いので、ケース１０との間に前述のような受け皿ができず水が溜まらない。従って、上記実施形態と同様の作用効果を得ることが出来る。また、側壁３０ｂが無いので、その分、容易に形成することができ、製造コストの低減を図ることができる。
【符号の説明】
【００３１】
１０  インバータ収納ケース
１２  開口部
３０  インバータ収納ケース用カバー
３０ａ  第１ネジ穴形成部
３０ｂ  第２ネジ穴形成部
３０ｃ  ネジ穴
３０ｄ  パッキン溝
３０ｅ  ネジ穴形成面
３０ｆ  段差面
３０ｇ  水抜き穴
３０ｈ  位置決め穴
３０ｉ  スリット部
３０ｊ  ネジ穴形成部
【図１】
0005424053.tif 000002
【図２】
0005424053.tif 000003
【図３】
0005424053.tif 000004
【図４】
0005424053.tif 000005
【図５】
0005424053.tif 000006
【図６】
0005424053.tif 000007
【図７】
0005424053.tif 000008
【図８】
0005424053.tif 000009
【図９】
0005424053.tif 000010
【図１０】
0005424053.tif 000011